(57)【要約】【課題】  ブラジャー、コルセットは種々の色彩のものが存在しているが、従来技術では、その色に合わせたホックは存在していなかった。また、ホックに色糸を巻回することを試しているが、これもきつく巻回しても、すぐに緩んでしまってほつれた状態になる。特に、洗濯をした場合には顕著でたるんだ状態を現わすことが頻繁に生じる。それは、単に糸の端部を金属製ホックにボンドで止めているだけであるので、せっかく巻き付けていた糸がほつれてしまうという問題がある。【解決手段】  ホックを形成する長さに切断された金属製ワイヤ１の全周面に合成樹脂を被覆し、両端を屈曲してループ状部２を形成し、ループ状部２を除いた金属製ワイヤ１のどちらかの端部に合成樹脂製糸５を一部溶着固定し、その合成樹脂製糸５を金属製ワイヤ１に巻回して、ループ状部２を除く全周面を覆った上、他端部４にて合成樹脂製糸５を溶着固定し、各種形状に屈曲形成したホック。【選択図】図４
2007006965.tif 000002
【特許請求の範囲】
【請求項１】
ホックを形成する長さに切断された金属製ワイヤの全周面に合成樹脂を被覆し、両端を屈曲してループ状部を形成し、該ループ状部を除いた金属製ワイヤのどちらかの端部に合成樹脂製糸を一部溶着固定し、その合成樹脂製糸を金属製ワイヤに巻回して、前記ループ状部を除く全周面を覆った上、他端部にて合成樹脂製糸を溶着固定し、各種形状に屈曲形成したことを特徴とするホック。
【請求項２】
金属製ワイヤが非磁性金属であることを特徴とする請求項１記載のホック。
【請求項３】
金属製ワイヤに巻回する合成樹脂製糸は染色できるように、白色あるいは透明のものを採用したことを特徴とする請求項１または請求項２に記載のホック。
【請求項４】
金属製ワイヤに巻回する合成樹脂製糸は色糸を採用したことを特徴とする請求項１または請求項２に記載のホック。
【発明の詳細な説明】
【技術分野】
【０００１】
本発明は、衣服、ブラジャー、コルセット等に取り付ける、留め掛けるためのホックまたはループに関するものである。
【背景技術】
【０００２】
従来、衣服、ブラジャー等に取り付けるホックは、単に金属製ワイヤを各種形状に屈曲して形成したものや、左右両カップには、それぞれカップ台が縫着されており、カップの形状として、一般に３／４カップと呼ばれるカップを使用する。なお、カップ台には、縦幅が１３ｍｍで伸縮性のあるテープがそれぞれ縫着され、係合部を形成している。左右カップのそれぞれ一方の端部に縫着されるバックパネル、右カップ、左カップの上部からそれぞれバックパネルに縫着される右ショルダストラップ及び左ショルダストラップ、左右カップの自由端を係止するための留め具で、金属製の金具で構成され、テープが設けられているホックブラジャー（例えば、特許文献１参照）が存在している。
【特許文献１】登録実用新案第３０６０００５号公報（実用新案登録請求の範囲の欄、考案の実施の形態の欄の段落｛００１７｝〜｛００２０｝、及び図１、図６を参照）
【発明の開示】
【発明が解決しようとする課題】
【０００３】
しかしながら、前記従来技術においては、ホックとしての機能には問題ないが、その使用する衣服、ブラジャー、コルセットは種々の色彩のものが存在している。そして、これらに合わせるために、金属製ホックの被覆材を着色したものが存在しているが、これでは感触や風合い、美観が芳しくなかった。また、ホックに色糸を巻回することを試しているが、これもきつく巻回しても、すぐに緩んでしまってほつれた状態になる。特に、洗濯をした場合には顕著でたるんだ状態を現わすことが頻繁に生じる。それは、単に糸の端部を金属製ホックにボンドで止めているだけであるので、せっかく巻き付けていた糸がほつれてしまうという問題がある。
本発明は、これを解決したものでホックを形成する長さに切断された金属製ワイヤの全周面に合成樹脂を被覆し、両端を屈曲してループ状部を形成し、該ループ状部を除いた金属製ワイヤのどちらかの端部に合成樹脂製糸を一部溶着固定し、その合成樹脂製糸を金属製ワイヤに巻回して、前記ループ状部を除く全周面を覆った上、他端部にて合成樹脂製糸を溶着固定し、各種形状に屈曲形成したホックを提供することを目的とするものである。
【課題を解決するための手段】
【０００４】
上記課題を解決するための本発明の第１発明は、請求項１に記載された通りのホックであり、次のようなものである。
ホックを形成する長さに切断された金属製ワイヤの全周面に合成樹脂を被覆し、両端を屈曲してループ状部を形成し、該ループ状部を除いた金属製ワイヤのどちらかの端部に合成樹脂製糸を一部溶着固定し、その合成樹脂製糸を金属製ワイヤに巻回して、前記ループ状部を除く全周面を覆った上、他端部にて合成樹脂製糸を溶着固定し、各種形状に屈曲形成する構成である。
【０００５】
上記課題を解決するための本発明の第２発明は、請求項２に記載された通りのホックであり、次のようなものである。
請求項１記載の発明に加えて、金属製ワイヤが非磁性金属を用いる構成である。
【０００６】
上記課題を解決するための本発明の第３発明は、請求項３に記載された通りのホックであり、次のようなものである。
請求項１、または請求項２に記載の発明に加えて、金属製ワイヤに巻回する合成樹脂製糸は染色できるように、白色あるいは透明のものを採用する構成である。
【０００７】
上記課題を解決するための本発明の第４発明は、請求項４に記載された通りのホック根であり、次のようなものである。
請求項１、または請求項２に記載の発明に加えて、金属製ワイヤに巻回する合成樹脂製糸は色糸を採用する構成である。
【発明の効果】
【０００８】
本発明に係るホックは、上記説明のような構成を有するので、以下に記載する効果を奏する。
（１）取り付ける衣服等の色柄や布地に合わせて、金属製ワイヤで製作したホック、ループではなく、調和のとれた色糸で巻回したホック、ループであるため、極めて違和感のない、利用者に喜ばれるものを提供することができる。
（２）巻回した糸がほつれることがない。
（３）白糸あるいは透明糸で巻回しておけば、簡単に染色することができるので、各色のものを用意する必要がなく、金属製ワイヤに一定間隔のループ状部を除いて糸を巻回して、この巻回した糸の両端が溶着されているので、ほつれることがない。
（４）金属製ワイヤに巻回した糸が両端で溶着されているので、ほつれることがない上に、その糸の巻回された金属製ワイヤを屈曲して、ホック、ループを形成する際でも、糸がほつれることがないので、ホックを形成した後でなく、直線状態で糸が巻回できるので、製作が簡易である。
（５）衣服の縫製時、ミシンの針が折れて混入している場合がある。これを防止するため、全商品を金属検知器で検知する。この際、金属製ホックであると検知されてしまい、針かホックなのか判別ができないので、ホックの材料を非磁性金属を使用することで、誤認することを防止することができる。
【発明を実施するための最良の形態】
【０００９】
ホックを形成する長さに切断された非磁性金属製ワイヤの全周面に合成樹脂を被覆し、両端を屈曲してループ状部を形成し、該ループ状部を除いた金属製ワイヤのどちらかの端部に白色の合成樹脂製糸を一部溶着固定し、その白色合成樹脂製糸を金属製ワイヤに巻回して、前記ループ状部を除く全周面を覆った上、他端部にて白色合成樹脂製糸を溶着固定し、各種形状に屈曲形成した後、白色合成樹脂製糸を染色したホックである。
【実施例】
【００１０】
以下、本発明の一実施例を添付図面で詳細に説明する。
具体的な一実施例について製作工程順に図１〜図４に基づいて詳細に説明する。
図１に示すように、長尺な丸棒、角棒からなる非磁性材のステンレス鋼の線材やスチール鋼の線材に真鎮メッキした金属製ワイヤ１の全周面に合成樹脂膜を被覆し、屈曲して形成するホックに相当する長さに切断して、両端にループ状部２を形成するように屈曲したものである。
【００１１】
この金属製ワイヤ１の全周面に合成樹脂膜を被覆されたどちらか一端３の部分で、（本実施例である図２に示すものは左端）に白色合成樹脂製糸、あるいはカラー合成樹脂製糸５の端部を溶着する。この溶着は、金属板の上に金属製ワイヤ１を載置し、上から超音波ウエルダーを当てて溶着することで、固定する。
この状態から、途中まで合成樹脂製糸を巻回した状態を図２には示してある。これをさらに巻回して図３に示すように他端まで（本実施例に示したものは、右端まで）巻回するものである。そして他端で、一端で溶着固定したと同様に超音波ウェルダーで溶着固定するものである。
この状態で、白色合成樹脂製糸を採用した場合は、要望する色に染色する。なお、カラー合成樹脂製糸を採用する場合は、改めて染色する必要がないことは言うまでもない。
【００１２】
また、金属製ワイヤの周面を被覆している合成樹脂と巻回する糸の材料である合成樹脂は、ナイロン同士、ポリエステル同士と、同一の合成樹脂を採用して溶着するのが最適である。
この状態から、糸を巻回した金属製ワイヤ１を屈曲して一実施例として図４に示すように、雄ホック６、雌ホック７を形成するものである。
【００１３】
次に、図５、図６に示すものは、角棒の金属製ワイヤ１に前記実施例と同様に合成樹脂製糸５を巻回したもの（合成樹脂製糸は省略されている）を屈曲して形成した他の形状の雄ホックと雌ホックを結合状態にしたものを示す正面図である。
ホックの形状と角棒の金属製ワイヤ１を採用した点を除くとその他は前記実施例の説明と同一になるので省略する。
【産業上の利用可能性】
【００１４】
各種、衣服、ブラジャー、コルセット等のホック、ループとして利用できものである。
【図面の簡単な説明】
【００１５】
【図１】本発明の一実施例であるホックの金属製ワイヤに合成樹脂の被覆を行った後、ホック製品を製作するのに必要な長さに切断し、両端部をループ状に屈曲した状態を示す正面図である。
【図２】本発明の一実施例である図１に示した合成樹脂を被覆した金属製ワイヤのループ状部を除いて、どちらか一端（図では左側端）に合成樹脂製糸を溶着し中途まで巻回した途中の状態を示す正面図である。
【図３】本発明の一実施例で、図２に示した合成樹脂を被覆した金属製ワイヤのループ状部を除いた全周面を合成樹脂製糸を巻回し、合成樹脂製糸の他端も金属製ワイヤに被覆された合成樹脂と溶着固定された状態を示す正面図である。
【図４】本発明の一実施例で、図３に示した合成樹脂を被覆した金属製ワイヤのループ状部を除いた全周面を合成樹脂製糸を巻回し、合成樹脂製糸の両端を金属製ワイヤに被覆された合成樹脂と溶着固定された金属製ワイヤを屈曲させてホックを形成した雄ホック、雌ホックを示す斜視図である。
【図５】角材からなる金属製ワイヤを用いて、図４に示した雄ホック、雌ホックの形状を変えて屈曲形成した結合状態を示す正面図である。
【図６】角材からなる金属製ワイヤを用いて、図４に示した雄ホック、雌ホックの形状を変えた他の実施例の結合状態を示す正面図である。
【符号の説明】
【００１６】
１・・・・金属製ワイヤ                        ２・・・・ループ状部
３・・・・一端                                ４・・・・他端
５・・・・合成樹脂製糸                        ６・・・・雄ホック
７・・・・雌ホック
【図１】
2007006965.tif 000003
【図２】
2007006965.tif 000004
【図３】
2007006965.tif 000005
【図４】
2007006965.tif 000006
【図５】
2007006965.tif 000007
【図６】
2007006965.tif 000008